(57)【要約】      （修正有）【課題】軽量かつ丈夫で施工が容易な天然石材を提供する。【解決手段】平板状の天然石材１０からなる第１層と、第１層の裏面に接着される平板状の第１金属２０からなる第２層と、第２層の裏面に接着される発泡合成樹脂３０からなる第３層と、第３層の裏面に接着される平板状の第２金属４０からなる第４層と、からなる発泡合成樹脂裏打ち天然石材１を構成することにより、軽量かつ丈夫な発泡合成樹脂裏打ち天然石材１を提供することができ、また、第２層及び第４層に平坦な金属板を採用したので、厚さの制御が困難な発泡合成樹脂を用いても裏面の平坦度を確保でき、施工が容易な発泡合成樹脂裏打ち天然石材１を提供できる。【選択図】図１
0003231750.tif 000002
【実用新案登録請求の範囲】
【請求項１】
平板状の天然石材からなる第１層と、
前記第１層の裏面に接着される平板状の第１金属からなる第２層と、
前記第２層の裏面に接着される発泡合成樹脂からなる第３層と、
前記第３層の裏面に接着される平板状の第２金属からなる第４層と、
からなることを特徴とする発泡合成樹脂裏打ち天然石材。
【請求項２】
請求項１に記載した発泡合成樹脂裏打ち天然石材であって、
前記第１金属及び前記第２金属はアルミニウム又はアルミニウム合金であることを特徴とする発泡合成樹脂裏打ち天然石材。
【請求項３】
請求項２に記載した発泡合成樹脂裏打ち天然石材であって、
前記第３層の発泡合成樹脂に難燃剤が混入されることを特徴とする発泡合成樹脂裏打ち天然石材。
【請求項４】
請求項３に記載した発泡合成樹脂裏打ち天然石材であって、
前記発泡合成樹脂を構成する合成樹脂は、ポリエチレン樹脂（ＰＥ）、ポリプロピレン樹脂（ＰＰ）、ポリスチレン樹脂（ＰＳ）、ＡＳ樹脂、ＡＢＳ樹脂、ポリ塩化ビニル樹脂（ＰＶＣ）、メタクリル樹脂（ＰＭＭＡ）、ポリエチレンテレフタレート樹脂（ＰＥＴ）、及びポリカーボネート（ＰＣ）から選択される１種以上であることを特徴とする発泡合成樹脂裏打ち天然石材。
【考案の詳細な説明】
【技術分野】
【０００１】
本考案は、平板状の天然石材に、発泡合成樹脂を裏打ちした、板材に関する。
【背景技術】
【０００２】
従来より、特許文献１に示すように、平板状の天然石材の裏面に、高炉スラグなどの無機質の粉末に溶解化学液を混入／混練した裏打ち材を接着したものがある。また、特許文献２に示すように、板状石材の裏面に、発泡セメント板を接合し、その裏面に、金属板を接合したものがある。さらに、特許文献３に示すように、第２アルミニウム板材の裏面に、発泡合成樹脂層を接着し、その裏面に、第１アルミニウム板材を接着したものがある。
【先行技術文献】
【特許文献】
【０００３】
【特許文献１】特開平７−４００１号公報
【特許文献２】特開２０１３−８７５５５号公報
【特許文献２】特開２０１７−２０５８８６号公報
【考案の概要】
【考案が解決しようとする課題】
【０００４】
しかしながら、軽量かつ丈夫で施工が容易な天然石材はなかった。
【０００５】
本考案は、軽量かつ丈夫で施工が容易な天然石材を提供することを目的とする。
【課題を解決するための手段】
【０００６】
本考案は、前記課題を解決するために、次のような手段を採る。なお後述する考案を実施するための最良の形態の説明及び図面で使用した符号を参考のために括弧書きで付記するが、本考案の構成要素は該付記したものには限定されない。
【０００７】
まず請求項１に係る考案は、
平板状の天然石材１０からなる第１層と、
前記第１層の裏面に接着される平板状の第１金属２０からなる第２層と、
前記第２層の裏面に接着される発泡合成樹脂３０からなる第３層と、
前記第３層の裏面に接着される平板状の第２金属４０からなる第４層と、
からなることを特徴とする発泡合成樹脂裏打ち天然石材１である。
【０００８】
また請求項２に係る考案は、
請求項１に記載した発泡合成樹脂裏打ち天然石材１であって、
前記第１金属１０及び前記第２金属２０はアルミニウム又はアルミニウム合金であることを特徴とする発泡合成樹脂裏打ち天然石材１である。
【０００９】
また請求項３に係る考案は、
請求項２に記載した発泡合成樹脂裏打ち天然石材１であって、
前記第３層の発泡合成樹脂３０に難燃剤が混入されることを特徴とする発泡合成樹脂裏打ち天然石材１である。
【００１０】
さらに請求項４に係る考案は、
請求項３に記載した発泡合成樹脂裏打ち天然石材１であって、
前記発泡合成樹脂３０を構成する合成樹脂は、ポリエチレン樹脂（ＰＥ）、ポリプロピレン樹脂（ＰＰ）、ポリスチレン樹脂（ＰＳ）、ＡＳ樹脂、ＡＢＳ樹脂、ポリ塩化ビニル樹脂（ＰＶＣ）、メタクリル樹脂（ＰＭＭＡ）、ポリエチレンテレフタレート樹脂（ＰＥＴ）、及びポリカーボネート（ＰＣ）から選択される１種以上であることを特徴とする発泡合成樹脂裏打ち天然石材１である。
【考案の効果】
【００１１】
本考案によれば、軽量かつ丈夫な発泡合成樹脂裏打ち天然石材を提供することができる。また、第２層及び第４層に平坦な金属板を採用したので、厚さの制御が困難な発泡合成樹脂を用いても裏面の平坦度を確保でき、施工が容易な発泡合成樹脂裏打ち天然石材を提供できる。
【図面の簡単な説明】
【００１２】
【図１】図１は本考案に係る発泡合成樹脂裏打ち天然石材の断面斜視図である。
【考案を実施するための最良の形態】
【００１３】
本考案に係る発泡合成樹脂裏打ち天然石材１は、例えば３００mm×３００mmや６００mm×６００mmなどの正方形で、厚みが６mmなどの平板であり、貼り付けて用いられることにより、例えば建物の内装壁，建物の内装床，浴室壁，家具の面材となる。なお、形は正方形には限られず、厚みも６mmには限られず、用途も上記には限定されない。
【００１４】
この発泡合成樹脂裏打ち天然石材１は、図１に示すように、表面側（図の上側）より、平板状の天然石材１０からなる第１層と、前記第１層の裏面に接着される平板状の第１金属２０からなる第２層と、前記第２層の裏面に接着される発泡合成樹脂３０からなる第３層と、前記第３層の裏面に接着される平板状の第２金属４０からなる第４層と、からなる。
【００１５】
第１層の天然石材１は、例えば大理石，御影石，ライムストーン，テラゾー，火山岩，クォーツサイトなどを、厚み４mmの平板状に加工したものである。
【００１６】
第２層の第１金属２０は、例えばアルミニウム又はアルミニウム合金の薄板であり、他にステンレス，チタン，ガルバリウム，鉄などであってもよい。この第１金属２０は、天然石材１の裏面に、接着剤１１により接着される。この接着剤１１は、例えばエポキシ樹脂系接着剤である。この第１金属２０が裏打ちされることにより、発泡合成樹脂裏打ち天然石材１の寸法精度や強度が確保される。
【００１７】
第３層の発泡合成樹脂３０は、ポリエチレン樹脂（ＰＥ），ポリプロピレン樹脂（ＰＰ），ポリスチレン樹脂（ＰＳ），ＡＳ樹脂，ＡＢＳ樹脂，ポリ塩化ビニル樹脂（ＰＶＣ），メタクリル樹脂（ＰＭＭＡ），ポリエチレンテレフタレート樹脂（ＰＥＴ），及びポリカーボネート（ＰＣ）から選択される１種以上などの合成樹脂を発泡させたものである。この発泡合成樹脂３０は、第１金属２０の裏面に、接着剤２１により接着される。この接着剤２１は、例えばエポキシ樹脂系接着剤である。この発泡合成樹脂３０が裏打ちされることにより、発泡合成樹脂裏打ち天然石材１を施工した場合の断熱性，緩衝性，防音性などが確保される。この発泡合成樹脂３０には、難燃性を確保するために、難燃剤を混入してもよい。この難燃剤は、例えばハロゲン系難燃剤．ノンハロゲン系（リン系）難燃剤，ノンハロゲン系（ノンリン系）難燃剤などである。
【００１８】
第４層の第２金属４０は、第１金属２０と同様に、例えばアルミニウム又はアルミニウム合金の薄板であり、他にステンレス，チタン，ガルバリウム，鉄などであってもよい。なお、第１金属２０と第２金属４０の厚みは、同じであっても異なってもよい。この第２金属４０は、発泡合成樹脂３０の裏面に、接着剤３１により接着される。この接着剤３１は、例えばエポキシ樹脂系接着剤である。この第２金属４０が裏打ちされることにより、発泡合成樹脂裏打ち天然石材１の寸法精度や強度が確保されると共に、裏面が平滑であるため、貼り付ける際の施工が容易になる。
【００１９】
本例では、第２層から第４層の厚みを２mmとして、予め貼り合わせた複合板として、第１層の裏面に接着剤１１で該複合板を接着することにより、発泡合成樹脂裏打ち天然石材１を構成しているが、これに限らず、第１層から第４層を順次貼り合わせてもよく、第１層及び第２層を予め貼り合わせたものと、第３層及び第４層を予め貼り合わせたものとを接着してもよく、第１層と、第２層から第４層を予め貼り合わせたものとを接着してもよい。
【符号の説明】
【００２０】
１…発泡合成樹脂裏打ち天然石材
１０…（第１層の）天然石材
２０…（第２層の）第１金属
３０…（第３層の）発泡合成樹脂
４０…（第４層の）第２金属
【図１】
0003231750.tif 000003